(57)【要約】  【課題】  認証の精度を従来より向上することができる利用者認証装置を提供する。  【解決手段】  利用者認証装置１０は、利用者を撮像して利用者の顔画像情報を取得するカメラ１１と、顔画像情報以外の生体情報である非顔画像情報を利用者から取得する非顔画像情報取得部１２と、利用者の顔画像情報及び非顔画像情報を記憶するメモリ部１３と、利用者を認証する認証部１４とを備え、認証部１４は、非顔画像情報取得部１２によって取得された非顔画像情報及びメモリ部１３に記憶されている非顔画像情報に基づいた非顔認証を行った後、カメラ１１によって取得された顔画像情報及びメモリ部１３に記憶されている顔画像情報に基づいた顔認証を行う。【選択図】  図１
2006004073.tif 000002
【特許請求の範囲】
【請求項１】
利用者を撮像して前記利用者の顔画像情報を取得する顔画像情報取得手段と、前記顔画像情報以外の生体情報である非顔画像情報を前記利用者から取得する非顔画像情報取得手段と、前記利用者の前記顔画像情報及び前記非顔画像情報を記憶する生体情報記憶手段と、前記利用者を認証する利用者認証手段とを備え、
前記利用者認証手段は、前記非顔画像情報取得手段によって取得された前記非顔画像情報及び前記生体情報記憶手段に記憶されている前記非顔画像情報に基づいた非顔認証を行った後、前記顔画像情報取得手段によって取得された前記顔画像情報及び前記生体情報記憶手段に記憶されている前記顔画像情報に基づいた顔認証を行うことを特徴とする利用者認証装置。
【請求項２】
前記利用者毎に撮像条件を記憶する撮像条件記憶手段と、前記撮像条件記憶手段に記憶されている前記撮像条件のうち前記非顔認証が成功した前記利用者に対応した撮像条件に前記顔画像情報取得手段の前記撮像条件を調整する撮像条件調整手段とを備えたことを特徴とする請求項１に記載の利用者認証装置。
【請求項３】
前記生体情報記憶手段は、前記顔画像情報取得手段によって取得された前記顔画像情報を記憶し、
前記撮像条件記憶手段は、前記生体情報記憶手段に記憶されている前記顔画像情報が前記顔画像情報取得手段によって取得されたときの前記顔画像情報取得手段の前記撮像条件を記憶することを特徴とする請求項２に記載の利用者認証装置。
【請求項４】
請求項１に記載の利用者認証装置を搭載したことを特徴とする車両。
【発明の詳細な説明】
【技術分野】
【０００１】
本発明は、利用者を認証する利用者認証装置に関するものである。
【背景技術】
【０００２】
従来の利用者認証装置としては、正規の利用者（以下「正規利用者」という。）の顔画像情報を予め記憶しておき、自動車に設置されたカメラで利用者を撮像して取得した顔画像情報と、予め記憶しておいた正規利用者の顔画像情報とを比較して認証を行う顔認証技術により自動車の管理を行うものが知られている（例えば特許文献１参照。）。
【特許文献１】特開２００３−０９５０６７号公報（第５頁、第１７図）
【発明の開示】
【発明が解決しようとする課題】
【０００３】
しかしながら、従来の利用者認証装置においては、自動車に設置されたカメラで取得した顔画像情報に基づいて認証を行うので、カメラの設置角度や照明等の撮像条件に応じて誤認識率が変化し、正規利用者でない者（以下「非正規利用者」という。）を正規利用者と誤って認証する場合があるという問題があった。
【０００４】
本発明は、従来の問題を解決するためになされたもので、認証の精度を従来より向上することができる利用者認証装置を提供することを目的とする。
【課題を解決するための手段】
【０００５】
本発明の利用者認証装置は、利用者を撮像して前記利用者の顔画像情報を取得する顔画像情報取得手段と、前記顔画像情報以外の生体情報である非顔画像情報を前記利用者から取得する非顔画像情報取得手段と、前記利用者の前記顔画像情報及び前記非顔画像情報を記憶する生体情報記憶手段と、前記利用者を認証する利用者認証手段とを備え、前記利用者認証手段は、前記非顔画像情報取得手段によって取得された前記非顔画像情報及び前記生体情報記憶手段に記憶されている前記非顔画像情報に基づいた非顔認証を行った後、前記顔画像情報取得手段によって取得された前記顔画像情報及び前記生体情報記憶手段に記憶されている前記顔画像情報に基づいた顔認証を行う構成を有している。
【０００６】
この構成により、本発明の利用者認証装置は、正規利用者に顔が似ている非正規利用者を非顔認証によって顔認証の前に排除することができるので、認証の精度を従来より向上することができる。
【０００７】
また、本発明の利用者認証装置は、前記利用者毎に撮像条件を記憶する撮像条件記憶手段と、前記撮像条件記憶手段に記憶されている前記撮像条件のうち前記非顔認証が成功した前記利用者に対応した撮像条件に前記顔画像情報取得手段の前記撮像条件を調整する撮像条件調整手段とを備えた構成を有している。
【０００８】
この構成により、本発明の利用者認証装置は、顔画像情報取得手段の撮像条件を利用者毎に毎回一定にすることができるので、認証の安定性を向上することができる。
【０００９】
また、本発明の利用者認証装置は、前記生体情報記憶手段は、前記顔画像情報取得手段によって取得された前記顔画像情報を記憶し、前記撮像条件記憶手段は、前記生体情報記憶手段に記憶されている前記顔画像情報が前記顔画像情報取得手段によって取得されたときの前記顔画像情報取得手段の前記撮像条件を記憶する構成を有している。
【００１０】
この構成により、本発明の利用者認証装置は、生体情報記憶手段に記憶されている顔画像情報が顔画像情報取得手段によって取得されたときの撮像条件で顔画像情報取得手段が利用者を撮像するので、認証の精度を向上することができる。
【００１１】
また、本発明の利用者認証装置は、車両に搭載された構成を有している。
【００１２】
この構成により、本発明の利用者認証装置は、撮像条件が毎回変わり易い車両内においても、認証の精度を従来より向上することができる。
【発明の効果】
【００１３】
本発明は、認証の精度を従来より向上することができる利用者認証装置を提供することができるものである。
【発明を実施するための最良の形態】
【００１４】
以下、本発明の一実施の形態について、図面を用いて説明する。
【００１５】
まず、本実施の形態に係る利用者認証装置の構成について説明する。
【００１６】
図１に示す本実施の形態に係る利用者認証装置１０は、図示していない車両に搭載されている。
【００１７】
また、利用者認証装置１０は、例えば、車両の運転席に座った利用者を撮像して利用者の顔画像情報を取得する顔画像情報取得手段としてのカメラ１１と、顔画像情報以外の生体情報である非顔画像情報として体重情報、座高情報、指紋情報及び虹彩情報を利用者から取得する非顔画像情報取得手段としての非顔画像情報取得部１２と、正規利用者の顔画像情報及び非顔画像情報を記憶する生体情報記憶手段としてのメモリ部１３と、利用者を認証する利用者認証手段としての認証部１４と、カメラ１１の撮像条件としてカメラ１１の設置角度を調整する撮像条件調整手段としての設置角度調整部１５と、車両のエンジンを始動するエンジン始動部１６と、車両のハンドルのロックを解除するハンドルロック解除部１７と、車両のサイドブレーキを解除するサイドブレーキ解除部１８と、利用者によって操作されるとともに利用者への表示を行う操作パネル部１９と、操作パネル部１９からの入力に基づいてカメラ１１、非顔画像情報取得部１２、メモリ部１３、認証部１４、設置角度調整部１５、エンジン始動部１６、ハンドルロック解除部１７、サイドブレーキ解除部１８及び操作パネル部１９の動作を制御する制御部２０とを備えている。
【００１８】
ここで、メモリ部１３は、利用者毎にカメラ１１の設置角度を記憶するようになっており、利用者毎に撮像条件を記憶する撮像条件記憶手段を構成している。
【００１９】
また、認証部１４は、非顔画像情報取得部１２によって取得された非顔画像情報及びメモリ部１３に記憶されている非顔画像情報に基づいた非顔認証と、カメラ１１によって取得された顔画像情報及びメモリ部１３に記憶されている顔画像情報に基づいた顔認証とを行うようになっている。
【００２０】
また、制御部２０は、認証部１４に非顔認証の後で顔認証を行わせるようになっている。また、制御部２０は、メモリ部１３に記憶されている全ての設置角度のうち非顔認証が成功した利用者に対応した設置角度にカメラ１１の設置角度を設置角度調整部１５に調整させるようになっている。また、制御部２０は、認証部１４による顔認証が成功したときにエンジン始動部１６、ハンドルロック解除部１７及びサイドブレーキ解除部１８を駆動するようになっている。
【００２１】
次に、利用者認証装置１０の動作について説明する。
【００２２】
まず、正規利用者の登録時の利用者認証装置１０の動作について説明する。
【００２３】
操作パネル部１９を介して利用者が正規利用者としての登録を要求すると、図２に示すように、制御部２０は、顔画像情報をカメラ１１に取得させ（Ｓ３１）、Ｓ３１においてカメラ１１によって取得された顔画像情報と、Ｓ３１において顔画像情報を取得したときのカメラ１１の設置角度とを互いに関連付けてメモリ部１３に記憶させる（Ｓ３２）。
【００２４】
次いで、制御部２０は、図３に示すような画像を操作パネル部１９に表示させて（Ｓ３３）、操作パネル部１９を介して利用者が非顔画像情報を選択するまで待機する（Ｓ３４）。
【００２５】
制御部２０は、利用者が非顔画像情報を選択したとＳ３４において判断すると、利用者によって選択された非顔画像情報を非顔画像情報取得部１２に取得させて（Ｓ３５）、Ｓ３５において非顔画像情報取得部１２によって取得された非顔画像情報を、Ｓ３２においてメモリ部１３に記憶させた顔画像情報及び設置角度と関連付けてメモリ部１３に記憶させる（Ｓ３６）。
【００２６】
なお、制御部２０は、利用者によって複数の非顔画像情報が選択された場合、利用者によって選択された複数の非顔画像情報を、顔画像情報及び設置角度と関連付けてメモリ部１３に記憶させることもできる。
【００２７】
次に、正規利用者の認証時の利用者認証装置１０の動作について説明する。ここで、正規利用者の登録時に非顔画像情報として体重情報がメモリ部１３に記憶された場合を例にとって説明する。
【００２８】
操作パネル部１９を介して利用者が正規利用者としての認証を要求すると、図４に示すように、制御部２０は、運転席の下に配置された非顔画像情報取得部１２に運転席に座っている利用者の体重情報を取得させた後（Ｓ４１）、Ｓ４１において非顔画像情報取得部１２によって取得された体重情報と、メモリ部１３に記憶されている体重情報とに基づいて認証部１４に非顔認証を行わせ（Ｓ４２）、Ｓ４２における非顔認証が成功したか否かを判断する（Ｓ４３）。
【００２９】
そして、制御部２０は、Ｓ４２における非顔認証が失敗したとＳ４３において判断すると、図４に示す処理を終了する。また、制御部２０は、Ｓ４２における非顔認証が成功したとＳ４３において判断すると、Ｓ４２における非顔認証が成功した体重情報に関連付けてメモリ部１３に記憶されていた顔画像情報及び設置角度をメモリ部１３から取得する（Ｓ４４）。
【００３０】
制御部２０は、Ｓ４４においてメモリ部１３から顔画像情報及び設置角度を取得すると、メモリ部１３から取得した設置角度にカメラ１１の設置角度を設置角度調整部１５に調整させた後（Ｓ４５）、顔画像情報をカメラ１１に取得させる（Ｓ４６）。
【００３１】
次いで、制御部２０は、カメラ１１によってＳ４６において取得された顔画像情報と、Ｓ４４においてメモリ部１３から取得した顔画像情報とに基づいて認証部１４に顔認証を行わせ（Ｓ４７）、Ｓ４７における顔認証が成功したか否かを判断する（Ｓ４８）。
【００３２】
そして、制御部２０は、Ｓ４７における顔認証が失敗したとＳ４８において判断すると、図４に示す処理を終了する。また、制御部２０は、Ｓ４７における顔認証が成功したとＳ４８において判断すると、エンジン始動部１６によってエンジンを始動させ（Ｓ４９）、ハンドルロック解除部１７によってハンドルのロックを解除させ（Ｓ５０）、サイドブレーキ解除部１８によってサイドブレーキを解除させて（Ｓ５１）、図４に示す処理を終了する。
【００３３】
以上に説明したように、利用者認証装置１０は、正規利用者に顔が似ている非正規利用者を非顔認証によって顔認証の前に排除することができるので、撮像条件が毎回変わり易い車両内においても、認証の精度を従来より向上することができる。
【００３４】
また、利用者認証装置１０は、メモリ部１３に記憶されている全ての設置角度のうち認証部１４によって非顔認証で認証された利用者に対応した設置角度にカメラ１１の設置角度を調整するので、カメラ１１の設置角度を利用者毎に毎回一定にすることができ、認証の安定性を向上することができる。なお、利用者認証装置１０は、カメラ１１の設置角度を調整するようになっていなくても良い。
【００３５】
また、利用者認証装置１０は、メモリ部１３に記憶されている顔画像情報がカメラ１１によって取得されたときの設置角度でカメラ１１が利用者を撮像するので、認証の精度を更に向上することができる。なお、利用者認証装置１０は、メモリ部１３に記憶されている顔画像情報がカメラ１１によって取得されたものでなくても良い。例えば、利用者認証装置１０は、記憶媒体や通信を介して外部から入力された顔画像情報をメモリ１３に記憶するようになっていても良い。
【００３６】
また、利用者認証装置１０は、利用者の体重情報、座高情報、指紋情報及び虹彩情報を非顔画像情報として用いるようになっているが、個人の識別に利用される生体情報であれば、体重情報、座高情報、指紋情報及び虹彩情報以外の情報を非顔画像情報として用いるようになっていても良い。
【００３７】
また、利用者認証装置１０は、カメラ１１の設置角度をカメラ１１の撮像条件として用いるようになっているが、カメラ１１の設置角度以外を撮像条件として用いるようになっていても良い。例えば、利用者認証装置１０は、カメラ１１が利用者を撮像するときの照明の明るさを撮像条件として用いるようになっていても良い。
【００３８】
また、利用者認証装置１０は、顔認証が成功したときに、エンジン始動部１６、ハンドルロック解除部１７及びサイドブレーキ解除部１８の全てを駆動するようになっているが、エンジン始動部１６、ハンドルロック解除部１７及びサイドブレーキ解除部１８の何れか特定のもののみを駆動するようになっていても良い。
【００３９】
また、利用者認証装置１０は、車両に搭載されているが、車両以外の場所に設置されていても良い。
【産業上の利用可能性】
【００４０】
以上のように、本発明に係る利用者認証装置は、認証の精度を従来より向上することができるという効果を有し、車両の利用者認証装置等として有用である。
【図面の簡単な説明】
【００４１】
【図１】本発明の一実施の形態に係る利用者認証装置の構成を示すブロック図
【図２】図１に示す利用者認証装置の正規利用者の登録時の動作のフローチャート
【図３】図１に示す利用者認証装置の操作パネル部に表示される画像を示す図
【図４】図１に示す利用者認証装置の正規利用者の認証時の動作のフローチャート
【符号の説明】
【００４２】
１０  利用者認証装置
１１  カメラ（顔画像情報取得手段）
１２  非顔画像情報取得部（非顔画像情報取得手段）
１３  メモリ部（生体情報記憶手段、撮像条件記憶手段）
１４  認証部（利用者認証手段）
１５  設置角度調整部（撮像条件調整手段）
【図１】
2006004073.tif 000003
【図２】
2006004073.tif 000004
【図３】
2006004073.tif 000005
【図４】
2006004073.tif 000006